(57)【要約】【課題】  花、野菜等の苗木、各種球根等植える時、地面に任意の大きさの穴を開けるようにすること。  【解決手段】  この移植コテ３００は、コテ本体１００のスライド用ボックス３０ａにコテ２００を柄部４０ａ方向にスライド可能に取り付け、且つ、コテ本体１００にコテ２００をスライド用ボックス３０ａを介して回転可能に取り付ける。コテ本体１００には、押さえ平板２０を設け、押さえ平板２０を押さえる事でコテ先１０ａとコテ先１０ｂの両方が同時に土に差し込まれ、次に、取っ手５０ａ、５０ｂを握り締める事で、コテ先１０ａ、１０ｂが間の土を挟み込んで、コテ先１０ａ、１０ｂの間から土が落ちなくなる。また、押さえ平板２０を手で握り、コテ先１０ａ、１０ｂの間に挟み込んだ土ごと移植コテ３００を上に引き上げる事で、円柱上の綺麗な穴が開く。コテ２００をスライド用ボックス３０ａにより移動固定することで、任意の穴を開ける事ができる。【選択図】      図３
0003131860.tif 000002
【実用新案登録請求の範囲】
【請求項１】
柄の一端にコテ先を設け且つ他端に取っ手を有する第一のコテと、柄の一端にコテ先を設け且つ他端に取っ手を有する第二のコテと、第一のコテの柄に対してスライドし且つ当該柄の所定位置で固定する固定部を有すると共に前記第二のコテを第一のコテに対して回転可能に取り付ける回転固定部を有するスライド固定手段と、を備えたことを特徴とする移植コテ。
【請求項２】
前記第一のコテと第二のコテとは、互いに取り付けられて前記コテ先同士が略平行となる状態で、第一のコテの柄と第二のコテの柄とが所定の角度を持つことを特徴とする請求項１に記載の移植コテ。
【請求項３】
前記スライド固定手段は、ボックス形状であり且つ第一のコテの柄に対して一定の隙間をもって嵌め込まれ、このボックスの一部に第一のコテの柄に対する固定を行うボルトを有すると共に、第二のコテを回転可能に固定するボルトを有するスライド用ボックスと、第二のコテの柄に設けられると共に前記スライド用ボックスに設けた当該第二のコテを固定するためのボルトが緩く挿入される穴を有する着脱板と、からなることを特徴とする請求項１または２に記載の移植コテ。
【請求項４】
更に、前記第一のコテの柄または第二のコテの柄のコテ先の近傍にグリップ部を設けたことを特徴とする請求項１〜３のいずれか一つに記載の移植コテ。
【考案の詳細な説明】
【技術分野】
【０００１】
本考案は、菜園野菜、花の苗木、球根等の移植を行う移植コテに関するものである。
【背景技術】
【０００２】
従来から、苗木等の移植のためのスコップとして、特開２００４−１５４１１１号公報に記載のものが知られている。この園芸用移植スコップは、２本のスコップをその湾曲した内側面が対向するように配置し、当該各スコップの柄の上端にバネを設け、このバネ部の最上部をハンドルで接続し、スコップの柄と柄の間にバンドを渡した構造である。
【０００３】
この園芸用移植スコップのハンドルをもってこれを土に差し込み、バンドを握ることで、スコップとスコップとの間隔が狭まってその間の土が把持され、続いて、ハンドルを持ち上げることで、スコップと共に前記把持した土を一緒に取り出すことができる。これにより、地面に対して綺麗な穴を簡単にあけることができる。
【０００４】
【特許文献１】特開２００４−１５４１１１号公報
【考案の開示】
【考案が解決しようとする課題】
【０００５】
しかしながら、上記従来の園芸用スコップは、スコップとスコップとの間隔が固定されているので、任意の大きさの穴を開けることができなかった。
【課題を解決するための手段】
【０００６】
この考案の移植コテは、柄の一端にコテ先を設け且つ他端に取っ手を有する第一のコテと、柄の一端にコテ先を設け且つ他端に取っ手を有する第二のコテと、第一のコテの柄に対してスライドし且つ当該柄の所定位置で固定する固定部を有すると共に前記第二のコテを第一のコテに対して回転可能に取り付ける回転固定部を有するスライド固定手段と、を備えたことを特徴とする。
【０００７】
また、この考案の移植コテは、前記移植コテにおいて、前記第一のコテと第二のコテとは、互いに取り付けられて前記コテ先同士が略平行となる状態で、第一のコテの柄と第二のコテの柄とが所定の角度を持つことを特徴とする。
【０００８】
また、この考案の移植コテは、前記移植コテにおいて、前記スライド固定手段は、ボックス形状であり且つ第一のコテの柄に対して一定の隙間をもって嵌め込まれ、このボックスの一部に第一のコテの柄に対する固定を行うボルトを有すると共に、第二のコテを回転可能に固定するボルトを有するスライド用ボックスと、第二のコテの柄に設けられると共に前記スライド用ボックスに設けた当該第二のコテを固定するためのボルトが緩く挿入される穴を有する着脱板と、からなることを特徴とする。
【０００９】
また、この考案の移植コテは、前記移植コテにおいて、更に、前記第一のコテの柄または第二のコテの柄のコテ先の近傍にグリップ部を設けたことを特徴とする。
【考案の効果】
【００１０】
この考案の移植コテによれば、スライド固定手段により、第一のコテに対して第二のコテを所定の位置で固定できるので、苗木等の鉢等の大きさに合わせて、任意の大きさの穴を簡単かつ綺麗に開けることができる。また、第一のコテおよび第二のコテの取っ手を同時に握ることで、コテ先で土を挟み、当該コテ先間の土を当該コテ先と共に引き抜くことができる。
【００１１】
更に、グリップ部を設けて、当該グリップ部を押えてコテ先を土に差し込むようにすれば、取扱いが更に容易になる。また、引き抜き時にも便利である。
【考案を実施するための最良の形態】
【００１２】
本考案の移植コテについて、以下、図１乃至図８を参照しながら詳細に説明する。図１に示すように、コテ本体１００（第一のコテ）の柄部４０ａをテコ原理の応用により少し長めにし、また手で握り締めが簡単にできるように後側先端部に取っ手５０ａを取り付ける。こうする事で腕や手の負担等も軽減できる。
【００１３】
さらにその、苗木等に合った穴を開ける為に柄部４０ａに、図４に示すような、スライド用ボックス３０ａを一定の隙間をもって嵌め込み、スライド用ボックス３０ａの右側面中央下部に蝶ボルト３０ｃを設け、これを仮締めする。
【００１４】
それに、スライド用ボックス３０ａの左側面中央上部に、スライド用ボックス３０ａが移動しないように固定するため、任意の穴を開け、そこに直接タップネジを切り、固定ボルト３０ｅ（蝶ボルトでもよい）を緩めにねじ込んでおく。
【００１５】
図１に示すように、コテ本体１００の先端上部に、Ｔ字グリップ形状の押え平板２０を取り付ける事でコテ先を土に差込し込み、また引き抜く時の力に対する軽減を図り、腕や手の負担等を最小限にする。なお、グリップ部となる押え平板２０の形状などは特に限定されず、ユーザが把持し易い形状であればどのようなものでもよい。また、先端下部には、苗木を移植する為の穴開け用のコテ先１０ａを取り付けする。
【００１６】
また、図２に示すように、もう一つのコテ２００（第二のコテ）の柄部４０ｂもコテ本体同様に当該柄部４０ｂを長めにし、手で握り締めが簡単に行えるように後側先端部に取っ手５０ｂを取り付ける。さらに、その柄部４０ｂの先端部に、着脱板３０ｂを取り付け、それをコテ１００のスライド用ボックス３０ａに取り付ける為に任意の穴３０ｆを設け、また、その先端下部には苗木を移植する為の穴開け用のコテ先１０ｂを取り付ける。
【００１７】
なお、コテ先１０ａ、１０ｂ等も色々の成形加工に出来るが平たい板状より両側が内曲げで丸みを付けるものが、土を挟み込むのに適している。このため、ここではあえて金属製片手スコップの取っ手を切断しコテ１００とコテ２００の柄部４０ａ、４０ｂの前側先端下側に固定取り付けする。
【００１８】
次に、図３に示すように、コテ本体１００のスライド用ボックス３０ａ（スライド固定手段）に、コテ２００の着脱板３０ｂを取り付け、蝶ナット３０ｃを締め付けることで固定する。これにより移植コテ３００が構成される。また、蝶ボルト３０ｃの先端は、着脱板３０ｂの穴３０ｆに緩く挿入されるので、コテ２００は、コテ１００に対して、蝶ボルト３０ｃを中心に、回転可能となる。なお、蝶ボルト３０ｃを外すことで、コテ１００とコテ２００は分離可能である。
【００１９】
コテ本体１００とコテ２００とを取り付けた状態で、且つ、そのコテ先１０ａ、１０ｂが互いに略平行となる状態で、柄部４０ａと柄部４０ｂとは、若干の角度（例えば１度以上８度以下）をもつ。この柄部４０ａの取っ手５０ａと柄部４０ｂの取っ手５０ｂと一緒に握り締めることで、コテ先１０ａ、１０ｂの間隔が狭くなり、コテ先間の土を把持できる。
【００２０】
その後、苗木の根に合った大きさにスライド用ボックス３０ａをスライド調整し、最適な位置にて固定ボルト３０ｅを締め付けて固定する。これにより、コテ本体１００のコテ先１０ａとコテ２００コテ先１０ｂとの間隔が決定される。コテ先１０ａ、１０ｂの間隔により、掘る穴の大きさが変わる。即ち、スライド用ボックス３０ａにより、掘る穴の大きさを自由に設定できるのである。
【００２１】
この移植コテ３００は、図３および図５乃至図８に示すように、コテ本体１００にコテ２００が取り付けられ、且つ、コテ本体１００に対してコテ２００がスライド用ボックス３０ａを中心に回転可能になるので、まず、コテ１００の前側先端上部の押さえ平板２０を押さえる事でコテ１００のコテ先１０ａとコテ２００のコテ先１０ｂの両方がいっしょに土の中に差し込まれ、次に、コテ１００およびコテ２００の両方の柄部後側先端の取っ手５０ａ、５０ｂを握り締める事で、コテ先１０ａ、１０ｂが間の土を挟み込んで、コテ先１０ａ、１０ｂの間から土が落ちなくなる。
【００２２】
そして、押さえ平板２０を手で握り、コテ先１０ａ、１０ｂの間に挟み込んだ土ごと移植コテ３００を上に引き上げる事で、円柱上の綺麗な穴が開く。また、スライド用ボックス３０ａの固定ボルト３０ｅを緩め、コテ２００を柄部４０ａに沿ってスライドさせ、任意の位置で再び固定ボルト３０ｅを締めることで、小手先１０ａ、１０ｂとの間隔を自由に調整できる。これにより、ユーザが任意の大きさの穴を地面に開けることができる。更に、この移植コテ３００は、一方の手で土を挟み、もう一方の手で移植コテ３００を引き抜くので、従来のように片手で全て行うよりも小さな力で穴を開けられる。
【００２３】
以上、この考案の移植コテ３００によれば、鉢や苗木等に合った最適な円柱状の穴が開けられ、穴への土の落ち崩れもなくなり作業効率が向上する。また、コテ本体１００およびコテ２００のコテ先１０ａ、１０ｂにより効率良く綺麗な穴が開けられる。
【００２４】
なお、本考案のコテ本体１００及びコテ２００は、金属製であるが、これに限定するものではなく、アルミ、強化プラスチック等のいずれを用いても良い。また、スライド用ボックス３０ａにも同じ材料を用いることができる。
【００２５】
また、コテ１００、２００のコテ先１０ａ、１０ｂの左右両側の先端部分をホーク状、半円状、のこぎり状、斜め切り落とし形状に成形し、コテ先左右両側を内曲げに丸みを付ける事で土に対し入れやすく、挟みやすく、取りやすくするようにしても良い。
【００２６】
また、テコの原理を応用したもので、コテ本体１００、コテ２００の柄部４０ａ、４０ｂは先端部に取っ手５０ａ、５０ｂを取り付ける事で、腕、手の平、指等にかかる負担を軽減する。それに、柄部４０ａ、４０ｂは直線型状より、への字型状にする事で、手首等の負担も軽減出来る。
【図面の簡単な説明】
【００２７】
【図１】本考案にかかる移植コテのコテ本体を示す左側面図である。
【図２】本考案にかかる移植コテのコテを示す左側面図である。
【図３】本考案にかかる移植コテを示す左側面図である。
【図４】スライド用ボックスを示す正面図である。
【図５】本考案にかかる移植コテを示す正面右側面図である。
【図６】本考案にかかる移植コテを示す上面図である。
【図７】本考案にかかる移植コテを示す後正面図である。
【図８】本考案にかかる移植コテのコテ本体を示す右側面図である。
【符号の説明】
【００２８】
１００  コテ本体
２００  コテ
３００  移植コテ
３０ａ  スライド用ボックス
３０ｃ  蝶ボルト
３０ｅ  スライド固定ボルト      
３０ｂ  着脱板
２０  押さえ平板
４０ａ，４０ｂ  柄部
５０ａ，５０ｂ  取っ手
【図１】
0003131860.tif 000003
【図２】
0003131860.tif 000004
【図３】
0003131860.tif 000005
【図４】
0003131860.tif 000006
【図５】
0003131860.tif 000007
【図６】
0003131860.tif 000008
【図７】
0003131860.tif 000009
【図８】
0003131860.tif 000010